(57)【要約】【課題】自動車用のコーティング剤を固めた固形物もしくはそのコーティング剤に含まれる成分にて作製した固形物等の小さな商品見本を見栄えよく展示するのに好適な見本展示具を提供する。【解決手段】見本展示具１は、商品見本２を収納した透明な箱体３と、箱体３の取付部４を前面の左下隅部に設け、前面における取付部以外の残部に商品の説明欄５を設けた表示板６とを備え、商品見本２と説明欄５の記載内容とで、商品の説明を行うようになした。【選択図】図１
0003129352.tif 000002
【実用新案登録請求の範囲】
【請求項１】
商品見本を収納した透明な箱体と、
前記箱体の取付部を前面の適所に設け、前面における取付部以外の残部に商品の説明欄を設けた表示板と、
を備えたことを特徴とする見本展示具。
【請求項２】
前記表示板の取付部に、箱体の取付位置を示す取付位置表示部を設けた請求項１記載の見本展示具。
【請求項３】
前記表示板の前面の左下隅部に取付部を設けた請求項１又は２記載の見本展示具。
【請求項４】
前記商品見本の背景となる背景シートを箱体の後部内に収納した請求項１〜３のいずれか１項記載の見本展示具。
【請求項５】
前記表示板の説明欄と箱体の背景シートとにわたって商品見本を指し示す指示部を形成した請求項４記載の見本展示具。
【請求項６】
前記箱体を表示板に対して着脱自在に取り付けた請求項１〜５のいずれか１項記載の見本展示具。
【請求項７】
前記表示板の裏面に設置用のスタンドを設けた請求項１〜６のいずれか１項記載の見本展示具。
【請求項８】
前記商品見本が、自動車用のコーティング剤を固めた固形物もしくはそのコーティング剤に含まれる成分にて作製した固形物である請求項１〜７のいずれか１項記載の見本展示具。
【考案の詳細な説明】
【技術分野】
【０００１】
本考案は、自動車用のコーティング剤を固めた固形物もしくはそのコーティング剤に含まれる成分にて作製した固形物等の小さな商品見本を展示するのに好適な見本展示具に関する。
【背景技術】
【０００２】
一般に、商品の販売を促進する方法として、陳列棚付近に商品の説明書や写真等を掲示した掲示板を設けて販売を促進する方法や、商品見本を展示して販売を促進する方法などが広く実施されている。
前記商品見本を展示して販売を促進する方法として、例えばヘアカラーなどにおいては、毛髪見本と磁石片とを一体に有するヘアカラー用サンプルピースと、磁石片を磁気吸着させるための磁気吸着面を有するサンプル帳本体とを備えたヘアカラー用サンプル帳が提案されている（例えば、特許文献１参照。）。
【０００３】
一方、陳列棚から前方へ延びる陳列用フックに商品を引っ掛けて展示する展示装置として、少なくともブリスタの表示部に嵌合される折曲嵌合部を有し、ブリスタと台紙との間に介挿されて組み合わされる飾り紙とから構成され、飾り紙の折曲嵌合部には、表面にブリスタの物品収納部に収納された物品の名称、型名或いは取扱い説明等が表示され、ブリスタの表示部に嵌合された状態において傾斜表示部を構成するものが記載されている（例えば、特許文献２参照。）。
【０００４】
【特許文献１】実用新案登録第３０８９４９７号公報（引用文献１）
【特許文献２】特開平８−９１４２６号公報（引用文献２）
【考案の開示】
【考案が解決しようとする課題】
【０００５】
特許文献１記載のヘアカラー用サンプル帳は、ヘアカラー専用の見本展示具であり、他の物品の展示に応用することができないもので、汎用性に欠けるという問題がある。また、特許文献２記載の展示装置は、商品自体を展示するものであり、販売促進を目的としたものではなく、しかも傾斜表示部と商品見本の配設位置が上下に設定され、自由にその位置を変更できないことから、商品見本を展示した場合には、展示形態の自由度が大幅に制約されるという問題がある。
【０００６】
本考案の目的は、自動車用のコーティング剤を固めた固形物もしくはそのコーティング剤に含まれる成分にて作製した固形物等の小さな商品見本を見栄えよく展示するのに好適な見本展示具を提供することである。
【課題を解決するための手段】
【０００７】
本考案に係る見本展示具は、商品見本を収納した透明な箱体と、前記箱体の取付部を前面の適所に設け、前面における取付部以外の残部に商品の説明欄を設けた表示板とを備えたものである。
【０００８】
この見本展示具では、透明な箱体内に商品見本を収納してこれを表示板に取り付けた状態で、見本展示具を壁や棚のフックに吊るしたり、陳列台等に設置したりして、商品の紹介を行うことになる。また、利用者は、見本展示具の箱体内に収納された商品見本を見たり、説明欄の内容を検討したりして、商品の特長や特性等を十分に把握した上で、必要に応じて商品を購入することになる。このように、透明な箱体内に商品見本を収納しているので、説明文だけでは把握し難い商品の特長を商品見本で補うことができる。また、表示板の適所に箱体を固定できるので、商品見本の形態に応じた最適な位置に箱体を固定して、商品見本を展示することができる。しかも表示板の取付部に箱体を固定し、取付部以外の残部に説明欄を設けたので、表示板の大きさを変更することで、箱体及び説明欄の大きさを容易に適正に設定することができる。
【０００９】
前記表示板の取付部に、箱体の取付位置を示す取付位置表示部を設けることが好ましい実施の形態である。このように構成すると、取付位置表示部に対して箱体を位置合わせして、箱体を取付部に取り付けることができるので、表示板の適正位置に対して容易に箱体を取り付けることができる。
【００１０】
前記表示板の前面の左下隅部に取付部を設けることができる。表示板の左下隅部は人間工学的に最も目を引く箇所なので、この位置に箱体を固定することで、商品見本を中心とした販売促進効果を得ることができる。
【００１１】
前記商品見本の背景となる背景シートを箱体の後部内に収納することも好ましい実施の形態である。この場合には、箱体内に収納した商品見本を背景シートにより一層見易くすることができる。例えば、自動車の外板に塗着して使用するコーティング剤を固めた固形物もしくはそのコーティング剤に含まれる成分にて作製した固形物を商品見本として展示する場合には、背景シートを黒色に着色して、商品見本を観察し易くすることができる。
【００１２】
また、背景シートを設ける場合には、前記表示板の説明欄と箱体の背景シートとにわたって商品見本を指し示す指示部を形成することもできる。この場合には、矢印や引き出し線などの指示部を商品見本の近くまで印刷して、説明欄において商品見本の説明等を行うことができる。また、指示部が連続するように取付部に対して箱体を取り付けることで、箱体を適正な位置に固定することができる。
【００１３】
前記箱体を表示板に対して着脱自在に取り付けることも好ましい。つまり、比較的大型な見本展示具においては、これを手で持って商品見本を観察することが困難なので、本考案のように、商品見本のみを箱体とともに取り外し可能に構成して、箱体内の商品見本を近くで詳細に観察できるようにすることが好ましい。
【００１４】
前記表示板の裏面に設置用のスタンドを設けることも好ましい実施の形態である。天井から吊り下げるなどして、見本表示具を展示することも可能であるが、商品見本を近くで見ることができるように、表示板の裏面にスタンドを設けて、見本表示具を手で持って箱体内の商品見本を近くで観察できるように構成することが好ましい。
【００１５】
前記商品見本が、自動車用のコーティング剤を固めた固形物もしくはそのコーティング剤に含まれる成分にて作製した固形物であることが好ましい。コーティング剤の特性等を比較できるように、コーティング剤を塗布した塗装鉄板片と、塗布していない塗装鉄板片とを展示することも可能であるが、コーティング剤の商品見本としては、コーティング剤を固めた固形物を用いることが好ましい。
【考案の効果】
【００１６】
本考案に係る見本展示具によれば、透明な箱体内に商品見本を収納しているので、説明文だけでは把握し難い商品の特長を商品見本で補うことができる。また、表示板の適所に箱体を固定できるので、商品見本の形態に応じた最適な位置に箱体を固定して、商品見本を展示することができる。しかも表示板の取付部に箱体を固定し、取付部以外の残部に説明欄を設けたので、表示板の大きさを変更することで、箱体及び説明欄の大きさを容易に適正に設定することができる。
【考案を実施するための最良の形態】
【００１７】
以下、本考案を実施するための最良の形態について図面を参照しながら説明する。
図１〜図４に示すように、見本展示具１は、商品見本２を収納した透明な箱体３と、箱体３の取付部４を前面の適所に設け、前面における取付部４以外の残部に商品の説明欄５を設けた表示板６とを備えたものである。
【００１８】
箱体３は、合成樹脂材料からなる透明シートを直方体状に折曲して箱状に組み立てたものである。箱体３としては、保形性を有し、内部を透視可能なものであれば、任意の素材で構成することができ、例えば透明な合成樹脂板を接着して直方体状に形成したものを採用することも可能である。箱体３の外観形状は、収納する商品見本２の形態に応じて任意の形状に設定でき、例えば立方体、多角柱状、円柱状、正面視ハート形や星形の柱状に構成することができる。
【００１９】
箱体３の後部内には商品見本２の背景となる背景シート７が収納固定され、背景シート７には商品見本２を明確に観察できるような着色が施されている。
【００２０】
商品見本２としては、箱体３に収納可能なものであれば、販売する商品に応じた任意の形態のものを採用できる。例えば、自動車の外板に塗着するコーティング剤を販売するのであれば、該コーティング剤を固めた固形物もしくはそのコーティング剤に含まれる成分にて作製した固形物を商品見本２として収納することができる。
【００２１】
表示板６としては、木製、紙製、合成樹脂製、金属製、無機質材料製など任意の素材で構成することができるが、見本展示具１を手で持って手軽に商品見本２を観察できるように、合成樹脂発泡体などの軽量な素材で構成することが好ましい。但し、少なくとも表示板６の表面には商品の説明文を印刷するので、印刷可能な紙片や樹脂シート等を前面に積層することになる。本実施の形態では、表示板６として、合成樹脂発泡体からなる板状部材６ａの表裏面に紙片６ｂを積層状に接着したものを用いた。
【００２２】
図３に示すように、表示板６の左下隅部には取付部４として箱体３の裏面形状に対応する略正方形枠状の取付位置表示部８が印刷され、この取付位置表示部８に対して箱体３を位置決め固定することで、表示板６の適正位置に対して箱体３を容易に固定できるように構成されている。箱体３は、表示板６に対して接着剤や両面テープ９で固定することができる。但し、取付位置表示部８として、取付部４全体を塗り潰したり、箱体３の４隅を示す印刷を施したりすることもできる。また、箱体３の取付位置は表示板６の前面の任意の位置に設定することができる。更に、取付位置表示部８に永久磁石からなる着磁シートを固定し、箱体３の裏面に永久磁石に磁気吸着する金属板を固定して、表示板６に対して箱体３を着脱可能に取り付けることも可能である。つまり、比較的大型な見本展示具１においては、これを手で持って商品見本２を観察することが困難なので、商品見本２のみを箱体３とともに取り外して、詳細に観察できるように構成することが好ましい。
【００２３】
説明欄５には、販売する商品の商品名や型番、写真や図面、素材や構成、特性や特長などの説明が任意の配置で印刷されている。また、商品見本２自体を見ただけでは、それが何を意味するのか不明な場合には、商品見本２自体の説明を印刷することもできる。この場合には、例えば、図１、図３に示すように、吹き出し１０を設けて、その内側に説明文を印刷することになる。また、吹き出し１０内の説明文が商品見本２の説明文であることを明確にするため、説明欄５と背景シート７とにわたって吹き出し１０の指示部１０ａ、１０ｂを連続的に形成することが好ましい。
【００２４】
表示板６の裏面には折り畳み可能なスタンド１１が取り付けられている。このスタンド１１としては、表示板６を斜めに設置可能なものであれば、任意の構成のものを採用することができる。例えば、図２に示すように、表示板６の裏面への取付部４と、取付部４の両側に回動自在に設けた左右１対の脚部片１２と、脚部片１２と取付部４の高さ方向の途中部に切込みを入れて形成した係合片１３とを備え、見本展示具１の展示時には、左右の脚部片１２を表示板６に対して略直角に起こしてから、係合片１３を脚部片１２に係合させて、脚部片１２の回動を規制するように構成したものを採用できる。但し、スタンド１１を省略して、チェーンや紐で表示板６を吊り下げるように構成することも可能である。
【図面の簡単な説明】
【００２５】
【図１】見本展示具の斜視図
【図２】見本展示具の側面図
【図３】見本展示具の分解斜視図
【図４】図１のIV-IV線断面図
【符号の説明】
【００２６】
１      見本展示具
２      商品見本
３      箱体
４      取付部
５      説明欄
６      表示板
６ａ    板状部材
６ｂ    紙片
７      背景シート
８      取付位置表示部
９      両面テープ
１０ａ  指示部
１０ｂ  指示部
１１    スタンド
１２    脚部片
１３    係合片
【図１】
0003129352.tif 000003
【図２】
0003129352.tif 000004
【図３】
0003129352.tif 000005
【図４】
0003129352.tif 000006